(57)【要約】【課題】複数の原色投射管を使用する投射装置において、各原色投射管の投射角度の違いに基づく色むらを補正する色補正回路を有する投射装置を提供する。【解決手段】所定の映像信号を受けて駆動信号を出力する駆動部４５と、映像信号から水平同期信号と垂直同期信号とを分離する分離部４３と、この水平同期信号と垂直同期信号とに色補正を加味した色補正信号を生成し出力する色補正部４８と、駆動信号と色補正信号とを受けて色補正信号による色補正が施された駆動信号に応じた投射光を投射する複数の投射管５２Ｒ，５２Ｇ，５２Ｂと、この投射光を受けて映像を表示する表示部Ｓとをもつ投射装置であり、これにより、複数の投射管の色むらを補正するものである。【選択図】      図１
2005121963.tif 000002
【特許請求の範囲】
【請求項１】
出力係数を含む制御信号に応じて駆動電流を出力する駆動部と、
前記駆動部から駆動電流を受けて光を投射するランプ部と、
前記駆動部に前記出力係数を含む制御信号を供給し、前記出力係数と制御信号の動作時間とに基づき、前記ランプ部への負荷を積算する制御部とを具備することを特徴とする投射装置。
【請求項２】
前記制御部は、前記ランプ部への積算負荷が、予め与えられた前記ランプ部の寿命に到達したと判断すると、寿命に到達したことを信号出力することを特徴とする請求項１記載の投射装置。
【請求項３】
映像情報に応じて画面に表示を行い、前記ランプ部からの投射光を前記画面に受けて前記映像情報に応じた映像を伴なう投射光を投射する表示部を更に有し、
前記制御部は、前記ランプ部への積算負荷が予め与えられた前記ランプ部の寿命に到達したと判断すると、寿命に到達したことを前記表示部に画面表示することを特徴とする請求項１記載の投射装置。
【請求項４】
前記表示部は、前記映像情報をＲ，Ｇ，Ｂに分離した映像信号に応じてそれぞれ画像表示するＲ用液晶パネルとＧ用液晶パネルとＢ用液晶パネルとを有することを特徴とする請求項３記載の投射装置。
【請求項５】
前記制御部は、前記ランプ部への積算負荷が予め与えられた前記ランプ部の寿命に到達したと判断すると、寿命に到達したことと前記ランプ部の交換を促すことを前記表示部に画面表示することを特徴とする請求項３記載の投射装置。
【請求項６】
前記制御部は、前記ランプ部の出力係数毎の使用時間を前記表示部に画面表示することを特徴とする請求項３記載の投射装置。
【請求項７】
前記制御部は、前記ランプ部の寿命と、現在の前記ランプ部への積算負荷とから、残りの寿命を求め、これに応じて、前記ランプ部の複数の出力係数毎の使用可能時間を前記表示部に画面表示することを特徴とする請求項３記載の投射装置。
【請求項８】
前記制御部の前記複数の出力係数毎の使用可能時間の前記表示部への画面表示は、操作部からの指示に応じて行われることを特徴とする請求項７記載の投射装置。
【請求項９】
前記制御部は、前記ランプ部の交換を促すことの画面表示の後に、前記ランプ部の交換を検出した時、前記ランプ部の積算負荷をリセットすることを特徴とする請求項５記載の投射装置。
【請求項１０】
前記制御部は、前記ランプ部の交換を促すことの画面表示の後に、前記ランプ部のセンサからの信号により前記ランプ部の交換を検出した時、前記ランプ部の積算負荷をリセットすることを特徴とする請求項５記載の投射装置。
【請求項１１】
ランプ部に駆動電流を供給する駆動部へ、出力係数を含む制御信号を出力して前記ランプ部に光を投射させ、
前記出力係数と制御信号の動作時間とに基づき、前記ランプ部への負荷を積算することを特徴とする投射方法。
【請求項１２】
前記ランプ部への積算負荷が、予め与えられた前記ランプ部の寿命に到達したと判断すると、寿命に到達したことを信号出力することを特徴とする請求項１１記載の投射方法。
【請求項１３】
映像情報に応じて画面に表示を行い、前記ランプ部からの投射光を前記画面に受けて前記映像情報に応じた映像を伴なう投射光を投射する表示部を用いて、
前記ランプ部への積算負荷が予め与えられた前記ランプ部の寿命に到達したと判断すると、寿命に到達したことを前記表示部に画面表示することを特徴とする請求項１１記載の投射方法。
【請求項１４】
前記表示部は、前記映像情報をＲ，Ｇ，Ｂに分離した映像信号に応じてそれぞれ画像表示するＲ用液晶パネルとＧ用液晶パネルとＢ用液晶パネルとを有することを特徴とする請求項１３記載の投射方法。
【請求項１５】
前記ランプ部への積算負荷が予め与えられた前記ランプ部の寿命に到達したと判断すると、寿命に到達したことと前記ランプ部の交換を促すことを前記表示部に画面表示することを特徴とする請求項１３記載の投射方法。
【請求項１６】
前記ランプ部の出力係数毎の使用時間を前記表示部に画面表示することを特徴とする請求項１３記載の投射方法。
【請求項１７】
前記ランプ部の寿命と、現在の前記ランプ部への積算負荷とから、残りの寿命を求め、これに応じて、前記ランプ部の複数の出力係数毎の使用可能時間を前記表示部に画面表示することを特徴とする請求項１３記載の投射方法。
【請求項１８】
前記複数の出力係数毎の使用可能時間の前記表示部への画面表示は、操作部からの指示に応じて行われることを特徴とする請求項１７記載の投射方法。
【請求項１９】
前記ランプ部の交換を促すことの画面表示の後に、前記ランプ部の交換を検出した時、前記ランプ部の積算負荷をリセットすることを特徴とする請求項１５記載の投射方法。
【請求項２０】
前記ランプ部の交換を促すことの画面表示の後に、前記ランプ部のセンサからの信号により前記ランプ部の交換を検出した時、前記ランプ部の積算負荷をリセットすることを特徴とする請求項１５記載の投射方法。
【発明の詳細な説明】
【技術分野】
【０００１】
この発明は、投射ランプを使用した投射装置に関し、特に、出力係数の程度に応じた投射ランプの負荷を積算し、寿命を正確に予測する投射装置及び投射方法に関する。
【背景技術】
【０００２】
最近、多くのデジタル映像機器が普及してきており、例えば、液晶プロジェクタやＤＬＰプロジェクタ等の光源ランプを用いた投射装置がある。このような液晶プロジェクタ等で利用される光源ランプは、使用可能な累積使用時間を示す寿命があり、ランプ寿命に近い累積使用時間の光源ランプや、ランプ寿命を越えた光源ランプは、ランプの特性が劣化する可能性や、故障により使用不可能となる可能性があり、信頼性が低い。
【０００３】
特許文献１は、光源ランプの累積使用時間を自動的に積算し、ランプの寿命に応じてランプ交換を画面上で促すプロジェクタ装置を示している。これによりユーザは、ランプ寿命を最適な時間に知ることができ、ランプ交換を可能とするため、ランプの能力を十分発揮することができる。
【０００４】
この従来技術においては、投射角度の違いから色むらが発生し、これを電気的に解消すべきであることを認識してはいるが、具体的にどのような回路でどのように補正信号を生成するかの開示はなされていない。従って、課題を与えてはいるが、当業者が課題を解決できる段階までは技術的な開示を行っていないという問題がある。
【特許文献１】特開２００２−２８７２４３号公報。
【発明の開示】
【発明が解決しようとする課題】
【０００５】
上記した従来技術が示すプロジェクタ装置の光源ランプにおいては、光量を随時切換えて使用できる機能があり、この時、光量によってランプにかかる負荷が異なることが分かっている。従って、常に１００％の光量で投射しておらず、他の光量、例えば、５０％の光量で使用していた場合、従来技術の方法では、正確な光源ランプの負荷の積算量を得ることができないため、十分消耗していなくともランプ光源の交換を促してしまうという問題がある。
【０００６】
本発明は、光源ランプの出力係数と使用時間に応じた適正な光源ランプの負荷の積算量を計測し、これに基づいて最適な時期にランプ交換を促すことができる投射装置と投射方法とを提供することを目的とする。
【課題を解決するための手段】
【０００７】
本発明は、出力係数を含む制御信号に応じて駆動電流を出力する駆動部と、前記駆動部から駆動電流を受けて光を投射するランプ部と、前記駆動部に前記出力係数を含む制御信号を供給し、前記出力係数と制御信号の動作時間とに基づき、前記ランプ部への負荷を積算する制御部とを具備することを特徴とする投射装置である。
【０００８】
又、本発明は、ランプ部に駆動電流を供給する駆動部へ、出力係数を含む制御信号を出力して前記ランプ部に光を投射させ、前記出力係数と制御信号の動作時間とに基づき、前記ランプ部への負荷を積算することを特徴とする投射方法である。
【発明の効果】
【０００９】
上記した投射装置においては、光源ランプの使用時間だけではなく、１００％や５０％等の出力係数を含めた上での光源ランプの負荷を積算するものである。すなわち、１０時間の使用であっても、出力係数が５０％の場合は、出力係数が１００％の場合の５時間としてしか、光源ランプの負荷が積算されていないとして計算するものである。これにより、出力係数の値も考慮した正確な光源ランプの寿命を予測することができる。又、設定された光源ランプの寿命を正確に予測することで、残りの光源ランプの出力係数も含めた上での使用例も検討することができる。すなわち、与えられた光源ランプの寿命と光源ランプの積算された負荷とに基づいて、例えば、出力係数が１００％の場合は残り５時間の使用が可能であり、出力係数が５０％の場合は残り１０時間の使用が可能であることを表示することができる。
【発明を実施するための最良の形態】
【００１０】
以下、図面を参照しながら、本発明に係る投射装置の実施形態について詳細に説明する。本発明に係る投射装置は、光源ランプの寿命を、光源ランプの出力係数を伴った使用時間に基づいて判断するものである。図１は、本発明に係る投射装置の構成の一例を示すブロック図、図２は、本発明に係る投射装置の概観の一例を示す概観図、図３は、本発明に係る投射装置の光学的構成の一例を示す説明図、図４は、本発明に係る投射装置のランプ寿命の積算処理の一例を示すフローチャート、図５は、本発明に係る投射装置の表示の一例を示す説明図、図６は、本発明に係る青色投射管のグリッド信号の一例を示すタイミングチャートである。
【００１１】
＜本発明に係る投射装置＞
（構成）
本発明に係る投射装置１は、図１において、ＲＧＢコンポーネント端子１１と、Ｙ／ＣＢ／ＣＲ端子１２と、これらを受けるＡ／Ｄコンバータ１５と、これらの出力を受けるスケーラ１６と、更に、ＣＶＢＳ端子１３と、Ｓ−ＶＩＤＥＯ端子１４と、これらの出力を受けるビデオデコーダ１７と、この出力を受けるプログレッシブ変換部１８と、これに接続されるＳＤＲＡＭ１９とを有している。又、Ａ／Ｄコンバータ１５からのコンポーネント信号がプログレッシブ変換部１８に供給され、プログレッシブ変換部１８からのＲＧＢ信号がスケーラ１６に供給される。
【００１２】
又、スケーラ１６の出力は、Ｒ信号、Ｇ信号、Ｂ信号毎に、それぞれのデジタルガンマ補正部２０に供給され、その出力がデジタル色むら補正部２１に供給され、その出力がサンプルホールド／ＤＡコンバータ２２に供給され、その出力が液晶パネル２３Ｒ，２３Ｇ，２３Ｂに出力される。
【００１３】
又、スケーラ１６からの出力がタイミングジェネレータ２４に供給され、タイミングジェネレータ２４は、液晶パネル２３Ｒ，２３Ｇ，２３Ｂにそれぞれ同期信号を供給している。
【００１４】
又、投射装置１は、これらの動作を司る制御部３２を有しており、この制御部３２は、後述するランプ負荷積算部のランプ負荷積算機能を有している。又、制御部３２は、メモリ３３を有しており、更に、制御信号をランプドライバ３４に供給しており、ランプドライバ３４は、投射ランプ３５に出力係数を伴う駆動電流を供給している。
【００１５】
又、投射装置１は、図２に示すような外観を有しており、(ａ)の正面図においてプロジェクションレンズ３６が示され、(ｂ)の背面図において交換されるべき投射ランプユニット３５ａが示されている。
【００１６】
又、投射装置１の投射ランプユニット３５ａは、図３の光学的構成に示される投射ランプ３５を内部に有しており、この投射ランプ３５は、光学ユニット４１の近傍に配置される。光学ユニット４１から照射された照射光は、マルチレンズ４２と、これに隣接して設けられた凸レンズ４３とを通過して、透過ミラーを通過し又はこれに反射して、各液晶パネル２３Ｒ，２３Ｇ，２３Ｂを透過する。これにより、投射ランプ３５からの照射光は、映像を乗せた状態でプロジェクションレンズ３６から照射され、投射光が投射される図示しないスクリーン等に映像を結像させる。
【００１７】
（動作）
次に、上記した投射装置１の動作について図面を用いて詳細に説明する。映像信号が、ＲＧＢコンポーネント端子１１、Ｙ／ＣＢ／ＣＲ端子１２、ＣＶＢＳ端子１３、又は、Ｓ−ＶＩＤＥＯ端子１４に供給されると、制御部３２の制御下において、一つの入力が選択される。ＲＧＢコンポーネント端子１１又はＹ／ＣＢ／ＣＲ端子１２を介するコンポーネント信号であれば、Ａ／Ｄコンバータ１５によりデジタル変換され、又、ＣＶＢＳ端子１３又はＳ−ＶＩＤＥＯ端子１４からの信号であれば、ビデオデコーダ１７によりデコードされてプログレッシブ変換部１８でＲＧＢ信号に変換してスケーラ１６に出力する。スケーラ１６では、各液晶パネル２３Ｒ，２３Ｇ，２３Ｂのサイズに応じて、ＲＧＢ信号を変換処理して、各色信号のデジタルガンマ補正部２０に供給する。デジタルガンマ補正部２０では、ガンマ補正により映像情報のリニアリティを調整した映像信号をデジタル色むら補正部２１に供給する。ここで色むら補正が施された映像信号は、サンプルホールド／ＤＡコンバータ２２に供給され、ＤＡ変換された映像信号が、各色の液晶パネル２３Ｒ，２３Ｇ，２３Ｂに供給される。液晶パネル２３Ｒ，２３Ｇ，２３Ｂでは、タイミングジェネレータ２４からの同期信号に応じて、映像情報に応じた映像を液晶画面に表示する。
【００１８】
一方、操作部３１からの操作信号を受けて、制御部３２は、例えば、出力係数１（１００％）のランプ出力をするべく、制御信号をランプドライバ３４に供給する。そして、ランプドライバ３４からの駆動信号に応じて、投射ランプ３５が投射光を投射する。
【００１９】
その後、各色信号毎に液晶画面に表示された映像は、図３に示すように、投射ランプ３５からの投射光が光学ユニット４１内に投射され、マルチレンズ４２と凸レンズ４３とを通過し、透過ミラーを通過し又はこれに反射して各液晶パネル２３Ｒ，２３Ｇ，２３Ｂに照射された投射光として投射される。そして、映像を載せた投射光はプロジェクションレンズ３６から照射されて、図示しないスクリーン等に映像を結像させることで、映像が表示される。
【００２０】
（ランプ負荷積算処理）
ここで、本発明の特徴である投射装置１のランプ負荷積算処理を、図４に示すフローチャート、図５の投射装置の表示の一例、図６のタイミングチャートを用いて以下に詳細に説明する。本発明に係る投射装置１においては、投射ランプ３５の出力係数に応じた投射ランプの寿命判断を行うものである。すなわち、投射ランプ３５においては、１００％の出力を発揮する場合だけではなく、例えば、５０％や７５％のように出力を抑制して照射する場合も可能であり、節電やランプ寿命の節約となる。ここでは、一例として、Ｈｉｇｈ（１００％出力）とＬｏｗ（５０％出力）との場合について説明する。
【００２１】
このとき、図６のタイミングチャートに示すように、投射ランプの出力係数を考慮しないランプ負荷積算処理であるタイマー１のタイミングＴ１では、Ｈｉｇｈを１０００時間、Ｌｏｗを１０００時間、その後、Ｈｉｇｈを１０００時間の場合、全てを係数１として積算することで合計３０００Ｈの寿命に到達したと認識される場合が示されている。このような場合でも、本発明に係る投射装置１の制御部３２による投射ランプの出力係数を考慮したランプ負荷積算処理であるタイマー２のタイミングＴ２では、Ｌｏｗの１０００時間は係数０．５として、ランプ部の積算負荷が計測される。これにより、制御部３２においては、合計２５００Ｈの投射ランプへの積算負荷として認識されるため、実際のランプ部に積算された負荷の値が計測できるため、正確なランプ部の寿命を識別することができる。
【００２２】
すなわち、図４に示すフローチャートにおいては、操作部３１の操作に応じて投射装置１が起動すると、制御部３２の働きにより、ランプの出力係数に応じてランプ負荷を積算する(Ｓ１１)。すなわち、例えば、Ｈｉｇｈ（１００％出力）なら係数１で、Ｌｏｗ（５０％出力）なら係数０．５で、ランプ部の使用時間をランプ負荷として積算する。これにより、図６のタイミングチャートのタイマー２のタイミングＴ２に示すように、実際の投射ランプの積算負荷を正確に求めることができる。ここで、出力が７５％なら係数０．７５、出力が２５％なら係数０．２５等、値に応じて積算処理がなされる。
【００２３】
又、ここで、ユーザによる操作部３１からの指示に応じて、積算したランプの使用時間の表示を促された場合は、メモリ３３に蓄積された積算時間に基づいて、例えば、図５の(ａ)のアイコン５１に示すように、１００％の使用について３５Ｈ、５０％の使用について４０Ｈ等の表示が行われる。又は、他の方法として、５０％出力については、係数０．５を掛けた時間として扱い、Ｈ＝３５＋４０×２＝５５Ｈとして、表示することも好適である。
【００２４】
次に、ランプ部の積算負荷が、予め与えられたランプ寿命に達したかどうかが判断され、これに達していると判断すると(Ｓ１４)、図５の(ｂ)に示すように、制御部３２の判断によりアイコン表示で『ランプ交換時期になりました』等を表示することが好適である(Ｓ１５)。
【００２５】
更に、投射ランプ３５の交換を、ランプユニット３５ａや投射装置１の本体側に設けた図示しないセンサにより検出することも好適であり、これにより、ランプの交換を自動的に認識すると(Ｓ１６)、積算したランプ負荷を自動的にリセットすることが好適である(Ｓ１７)。しかしながら、このランプ交換の後のタイマーのリセット操作は、ユーザが、マニュアルで操作部３１を介して行うものでも好適である。
【００２６】
ランプ寿命の時間情報の与えられ方は、予めデフォルトで一つの値が与えられていてもよいし、ランプユニット３５ａにセンサをつけて、これにより寿命時間を識別してもよい。又、寿命時間は、ユーザが操作部３１を介してメモリ３３等に与えるものであっても好適である。
【００２７】
又、制御部３２の処理により、現在のランプ積算負荷と、与えられたランプ寿命から、残りの使用可能時間（寿命）を求め、これに応じて、ランプ部の複数の出力係数毎の使用可能時間を表示部に画面表示することも好適である。これは、すなわち、残り時間を１０００時間とすれば、１００％の出力なら１０００時間、５０％の出力なら２０００時間として制御部３２において演算して画面表示するものであり、これにより、ユーザの直感的な選択を促すことが可能となる。
【００２８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００２９】
【図１】本発明に係る投射装置の構成の一例を示すブロック図。
【図２】本発明に係る投射装置の概観の一例を示す概観図。
【図３】本発明に係る投射装置の光学的構成の一例を示す説明図。
【図４】本発明に係る投射装置のランプ寿命の積算処理の一例を示すフローチャート。
【図５】本発明に係る投射装置の表示の一例を示す説明図。
【図６】本発明に係る青色投射管のグリッド信号の一例を示すタイミングチャート。
【符号の説明】
【００３０】
１１…ＲＧＢコンポーネット端子、１２…コンポーネント端子、１３…コンポジットビデオ端子、１４…Ｓビデオ端子、１５…Ａ／Ｄコンバータ、１６…スケーラー、１７…ビデオデコーダ、１８…プログレッシブ変換部、１９…ＳＲＡＭ、２０…デジタルガンマ補正、２１…デジタル色むら補正部、２２…サンプルホールド／ＤＡコンバータ、２３…液晶パネル、３１…操作部、３２…制御部（ランプ負荷積算部）、３３…メモリ、３４…ランプドライバ、３５…ランプユニット。
【図１】
2005121963.tif 000003
【図２】
2005121963.tif 000004
【図３】
2005121963.tif 000005
【図４】
2005121963.tif 000006
【図５】
2005121963.tif 000007
【図６】
2005121963.tif 000008